Podtech/llm-jp-corpus-v4-ja_patent huggingface dataset:
【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
膜貫通抗原と結合することができる及び／又はこれに対する親和性を有する免疫グロブリン配列を生成する方法であって、
ａ）ラクダ科動物に、前記膜貫通抗原、又は前記膜貫通抗原のドメイン若しくは特定部分をコードする核酸を遺伝子ワクチン接種する工程、並びに
ｂ）任意で、該膜貫通抗原を発現する天然細胞若しくはトランスフェクト細胞を含む細胞、細胞由来の膜抽出物、豊富な抗原を内包する小胞若しくは任意の他の膜誘導体、リポソーム、又は該膜貫通抗原を発現するウイルス粒子から選択される天然の立体構造で前記抗原を該動物に追加免疫する工程、
ｃ）前記膜貫通抗原と結合することができる及び／又はこれに対する親和性を有する免疫グロブリン配列に関して、前記ラクダ科動物に由来する免疫グロブリン配列のセット、コレクション又はライブラリをスクリーニングする工程、
を含む、方法。
【請求項２】
前記ラクダ科動物がラマ又はアルパカである、請求項１に記載の方法。
【請求項３】
前記免疫グロブリン配列が軽鎖可変ドメイン配列又は重鎖可変ドメイン配列である、請求項１又は２に記載の方法。
【請求項４】
免疫グロブリン配列が、従来の四本鎖抗体に由来する重鎖可変ドメイン配列、又は重鎖抗体に由来する重鎖可変ドメイン配列である、請求項３に記載の方法。
【請求項５】
免疫グロブリン配列が、ドメイン抗体（又はドメイン抗体としての使用に好適な免疫グロブリン配列）、単一ドメイン抗体（又は単一ドメイン抗体としての使用に好適な免疫グロブリン配列）、「ｄＡｂ」（又はｄＡｂとしての使用に好適な免疫グロブリン配列）、又はナノボディ（ＶＨＨ配列を含むが、これに限定されない）（又はナノボディとしての使用に好適な免疫グロブリン配列）である、請求項１〜４のいずれか一項に記載の方法。
【請求項６】
免疫グロブリン配列がナノボディである、請求項５に記載の方法。
【請求項７】
ワクチン接種を、無針ジェット注射により、バリスティック法により、タトゥーのような針による注射により、局所適用により、又は任意のＤＮＡ投与方法の後のｉｎ  ｖｉｖｏエレクトロポレーションにより行う、請求項１〜６のいずれか一項に記載の方法。
【請求項８】
ワクチン接種を、ＤＮＡの皮内投与、筋肉内投与又は皮下投与により行う、請求項１〜７のいずれか一項に記載の方法。
【請求項９】
免疫グロブリン配列の該セット、コレクション又はライブラリを、前記ラクダ科動物のこれらの免疫グロブリン配列をコードする細胞を内包する血液、リンパ節、脾臓、骨髄、又は任意の組織から得る、請求項１〜８のいずれか一項に記載の方法。
【請求項１０】
前記膜貫通抗原を、その天然の立体構造で標的の発現が可能である任意の細胞、Ｃｈｏ、Ｃｏｓ７、Ｈｅｋ２９３、又はラクダ科動物由来細胞、ラマ由来細胞若しくはアルパカ由来細胞から選択される細胞で発現させる、請求項１〜９のいずれか一項に記載の方法。
【請求項１１】
前記膜貫通抗原がＧＰＣＲ及び／又はイオンチャネルである、請求項１〜１０のいずれか一項に記載の方法。
【請求項１２】
前記抗原がＣＸＣＲ７、ＣＸＣＲ４及びＰ２Ｘ７から選択される、請求項１〜１１のいずれか一項に記載の方法。
【請求項１３】
免疫グロブリン配列の該セット、コレクション又はライブラリを、細胞又はウイルスのセット、コレクション又はサンプルで発現させ、前記膜貫通抗原と結合することができる及び／又はこれに対する親和性を有する免疫グロブリン配列を発現する細胞に関して、細胞の前記セット、コレクション又はサンプルをスクリーニングする、請求項１〜１２のいずれか一項に記載の方法。
【請求項１４】
前記膜貫通抗原と結合することができる及び／又はこれに対する親和性を有する免疫グロブリン配列をコードする核酸配列を該細胞又はウイルスから精製及び／又は単離した後、前記免疫グロブリン配列を発現させる、請求項１３に記載の方法。
【請求項１５】
免疫グロブリン配列の該セット、コレクション又はライブラリが核酸配列のセット、コレクション又はライブラリによってコードされ、前記膜貫通抗原と結合することができる及び／又はこれに対する親和性を有する免疫グロブリン配列をコードする核酸配列に関して、核酸配列の前記セット、コレクション又はライブラリをスクリーニングする、請求項１〜１４のいずれか一項に記載の方法。
【請求項１６】
前記膜貫通抗原と結合することができる及び／又はこれに対する親和性を有する免疫グロブリン配列をコードする該核酸配列を精製及び／又は単離した後、前記免疫グロブリン配列を発現させる、請求項１５に記載の方法。
【請求項１７】
前記膜貫通抗原と結合することができる及び／又はこれに対する親和性を有する該免疫グロブリン配列を精製及び／又は単離する、請求項１〜１６のいずれか一項に記載の方法。
【手続補正書】
【提出日】平成24年12月13日(2012.12.13)
【手続補正１】
【補正対象書類名】特許請求の範囲
【補正対象項目名】全文
【補正方法】変更
【補正の内容】
【特許請求の範囲】
【請求項１】
藻類生成物を生成するために藻類を生育するための方法であって、
（１）藻細胞分裂の速度および藻細胞数を増加させるように、第１の従属栄養もしくは光従属栄養生育条件下で該藻類を生育することと、
（２）藻類生成物を生成するために第２の生育条件下で該藻類を生育することと、
を含み、藻細胞数は、該第２の生育条件下では著しく増加しない、上記方法。
【請求項２】
前記培地は、任意でさらなる栄養分を補充した、嫌気性バイオ消化物の液体分離物を含む、請求項１に記載の方法。
【請求項３】
前記第１の生育条件は、１つ以上の成長ホルモンまたはその模倣体を含む、請求項１に記載の方法。
【請求項４】
前記成長ホルモンは、オーキシン、サイトカイニン、ジベレリン、および／またはそれらの混合物から選択される少なくとも１つ、２つ、３つ、４つ、５つ、またはそれ以上の成長ホルモンを含む、請求項３に記載の方法。
【請求項５】
前記第１の生育条件は、ビタミンＢ１またはその類似体／模倣体をさらに含む、請求項３に記載の方法。
【請求項６】
オーキシンとサイトカイニンとの比率（ｗ／ｗ）は、１：２〜２：１、または１：１である、請求項４に記載の方法。
【請求項７】
オーキシンとジベレリンとの比率（ｗ／ｗ）は、１：２〜２：１、または１：１である、請求項４に記載の方法。
【請求項８】
前記模倣体はフェノキシ酢酸化合物である、請求項３に記載の方法。
【請求項９】
前記第２の生育条件は、窒素制限培地（１．５〜１５ｍｇＮ／Ｌ）、または藻類生成物合成に最適な窒素レベルを有する培地を含む、請求項１に記載の方法。
【請求項１０】
前記第２の生育条件は油刺激因子を含む、請求項１に記載の方法。
【請求項１１】
前記油刺激因子は、フミン酸塩を含む、請求項１０に記載の方法。
【請求項１２】
前記藻類を、静止生育相に達する前に、前記第１の生育条件から前記第２の生育条件に切り替える、請求項１に記載の方法。
【請求項１３】
前記藻類生成物は、油または脂質である、請求項１に記載の方法。
【請求項１４】
前記藻類が代謝する前記第２の生育条件下は、従属栄養条件、光従属栄養条件、または独立栄養条件である、請求項１に記載の方法。
【請求項１５】
前記藻類は、緑藻植物または緑色植物（珪藻）である、請求項１に記載の方法。
【請求項１６】
従属栄養条件下で藻類を生育するための培地であって、明細書中の表１に列挙された成分を含み、前記培地中のそれぞれの列挙された成分の最終濃度は、前記表１に列挙された最終濃度の５０％（増加または減少）、４０％、３０％、２０％、１０％、または５％以内である、上記培地。
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
キバナオウギ（Ａｓｔｒａｇａｌｕｓ  ｍｅｍｂｒａｎａｃｅｕｓ）の抽出物を含む組成物であって、その抽出物が、
４．０：１から５．０：１の範囲のアラビノース：ガラクトース比；
約５％から約１０％のラムノース；
約１５％から約２０％のガラクトース；
約１０％から約２０％のガラクツロン酸；
２重量％以下のタンパク質；
約１０％から約１５％のグルコース；を含み、
かつ、その抽出物が、キバナオウギから粗抽出物を単離することと、粗抽出物を酸で穏やかに処理することとを含む第１のプロセスを用いて調製され、その穏やかに処理することが、約０．０５Ｍから約０．５Ｍの濃度で、約１５℃から２５℃の温度で、約１時間から約２４時間の間、酸を粗抽出物に適用することを含み、酸を適用する温度及び時間が、前記のアラビノース：ガラクトース比、ガラクトース含有量、グルコース含有量、及び高収率を得るように選択され、かつ、
その抽出物の収率が、３．５：１未満のアラビノース：ガラクトース比、２０％から３５％のガラクトース、及び約１０％未満のグルコースを得るように選択される温度及び時間で、酸を粗抽出物に適用することを含む第２のプロセスを用いて生成されるキバナオウギの抽出物の収率よりも実質的に高い
ことを特徴とする組成物。
【請求項２】
キバナオウギが、マメ科ナイモウオウギ（Ａ．ｍｅｍｂｒａｎａｃｅｕｓ  Ｂｇｅ．ｖａｒ．ｍｏｎｇｈｏｌｉｃｕｓ（Ｂｇｅ．）Ｈｓｉａｏ）またはマメ科キバナオウギ（Ａ．ｍｅｍｂｒａｎａｃｅｕｓ（Ｆｉｓｃｈ．）Ｂｇｅ）である
請求項１に記載の組成物。
【請求項３】
キバナオウギが、中華人民共和国の内モンゴル自治区または山西省で生育したものである
請求項１に記載の組成物。
【請求項４】
根が、約２年もののキバナオウギ植物に由来するものである
請求項１に記載の組成物。
【請求項５】
少なくとも１００キロダルトンの重量平均分子量を有する
請求項１に記載の組成物。
【請求項６】
少なくとも８０重量％の炭水化物を有する
請求項１に記載の組成物。
【請求項７】
酸が、トリクロロ酢酸または塩酸である
請求項１に記載の組成物。
【請求項８】
水溶液中、約４．５から約６．５のｐＨを有する
請求項１に記載の組成物。
【請求項９】
造血を刺激する薬剤を含む
請求項１に記載の組成物。
【請求項１０】
顆粒球コロニー刺激因子、顆粒球マクロファージコロニー刺激因子、エリスロポエチン及び赤血球生成促進因子、トロンボポエチン、インターロイキン−３、及びそれらの誘導体からなる群から選択される薬剤を含む
請求項１に記載の組成物。
【請求項１１】
治療的有効量の請求項１に記載の組成物と水性注射用賦形剤とを含む
ことを特徴とする水性注射用製剤。
【請求項１２】
請求項１に記載の抽出物を調製する方法であって、
粗抽出物をキバナオウギから単離することと、粗抽出物を酸で穏やかに処理することとを含み；
穏やかに処理することが、約０．０５Ｍから約０．５Ｍの濃度で、約１５℃から２５℃の温度で、約１時間から約２４時間の間、酸を粗抽出物に適用することを含み、酸を適用する温度及び時間が、４．０：１から５．０：１の範囲のアラビノース：ガラクトース比；約５％から約１０％のラムノース；約１５％から約２０％のガラクトース；約１０％から約２０％のガラクツロン酸；約１０％から約１５％のグルコース；及び２重量％以下のタンパク質を得るように選択される
ことを特徴とする方法。
【請求項１３】
キバナオウギの高収率抽出物を含む組成物であって、その抽出物が、
約３．５：１を超えるアラビノース：ガラクトース比；
約５％から約１０％のラムノース；
約１５％から約２０％のガラクトース；
約１０％から約２０％のガラクツロン酸；
約１０％から約１５％のグルコース；を含む
ことを特徴とする組成物。
【請求項１４】
組成物が、治療的有効量で医薬品を投与することにより哺乳動物における特発性血小板減少性紫斑病を治療する医薬品の製造に用いられる
請求項１３に記載の組成物。
【請求項１５】
組成物が、治療的有効量で医薬品を投与することにより哺乳動物における特発性血小板減少性紫斑病を治療する医薬品の製造に用いられる
請求項１３に記載の組成物。
【請求項１６】
キバナオウギの高分子量抽出物を含む組成物であって、
その抽出物が、
約２．０：１超から約４．０：１超のアラビノース：ガラクトース比；
約５％から約１５％のアラビノース；
約２％から約４．０％のラムノース；
約８％から約２５％のガラクトース；
約５％から約２５％のグルコース；を含み、
組成物が、治療的有効量で前記医薬品を投与することにより、哺乳動物における特発性血小板減少性紫斑病を治療するための医薬品の製造に用いられる
ことを特徴とする組成物。
【手続補正書】
【提出日】平成24年12月10日(2012.12.10)
【手続補正１】
【補正対象書類名】特許請求の範囲
【補正対象項目名】全文
【補正方法】変更
【補正の内容】
【特許請求の範囲】
【請求項１】
それぞれが８０〜９０重量％のα−ヒドロキシポリエステル−ｃｏ−ポリエーテルと治療薬とを含む、複数のナノ粒子を含む生体適合性ナノ粒子組成物であって、
α−ヒドロキシポリエステル−ｃｏ−ポリエーテルは、数平均分子量１５〜２０ｋＤａを有するポリ乳酸及び数平均分子量２〜１０ｋＤａを有するポリエチレングリコーを含み、
前記組成物を患者に投与すると、少なくとも１２時間、治療薬の高血漿中濃度を提供し、患者に投与した場合の分布容積が、５×血漿容積以下である生体適合性ナノ粒子組成物。
【請求項２】
前記治療薬の高血漿中濃度を少なくとも２４時間提供する請求項１に記載の生体適合性ナノ粒子組成物。
【請求項３】
前記ナノ粒子がそれぞれ、ターゲティング部位に結合する生体適合性ポリマーをさらに含む請求項１又は２に記載の生体適合性ナノ粒子組成物。
【請求項４】
前記ターゲティング部位が、タンパク質、ペプチド、抗体、抗体断片、サッカリド、炭水化物、小分子、グリカン、サイトカイン、ケモカイン、ヌクレオチド、レクチン、脂質、受容体、ステロイド、神経伝達物質、細胞表面マーカー、癌抗原又は糖タンパク質抗原からなる群から選択される請求項３に記載の生体適合性ナノ粒子組成物。
【請求項５】
前記ターゲティング部位が、前立腺特異的膜抗原（ＰＭＳＡ）に結合する請求項４に記載の生体適合性ナノ粒子組成物。
【請求項６】
前記生体適合性ポリマーがＰＬＡ−ＰＥＧである請求項３から５のいずれか一項に記載の生体適合性ナノ粒子。
【請求項７】
前記ターゲティング部位に結合する前記生体適合性ポリマーが、ＰＬＡ−ＰＥＧ−（（Ｓ，Ｓ−２−｛３−［１−カルボキシ−５−アミノ−ペンチル］−ウレイド｝−ペンタン二酸である請求項３から６のいずれか一項に記載の生体適合性ナノ粒子。
【請求項８】
前記長時間循環性ナノ粒子が、前記ターゲティング部位に結合する前記生体適合性ポリマーを１〜４重量％含む請求項３から７のいずれか一項に記載の生体適合性ナノ粒子組成物。
【請求項９】
前記α−ヒドロキシポリエステル−ｃｏ−ポリエーテルが、ポリ乳酸−ｃｏ−ポリエチレングリコールである請求項１から８のいずれか一項に記載の生体適合性ナノ粒子組成物。
【請求項１０】
前記α−ヒドロキシポリエステル−ｃｏ−ポリエーテルが、ポリ乳酸約１６ｋＤａ及びポリエチレングリコール約５ｋＤａを含む請求項１から９のいずれか一項に記載の生体適合性ナノ粒子組成物。
【請求項１１】
前記長時間循環性ナノ粒子がさらに、生分解性ポリマーを含む請求項１から１０に記載の生体適合性ナノ粒子組成物。
【請求項１２】
前記生分解性ポリマーがポリ乳酸である請求項１１に記載の生体適合性ナノ粒子組成物。
【請求項１３】
前記治療薬が、化学療法薬、診断剤、予防薬、栄養補助剤、核酸、タンパク質、ペプチド、脂質、炭水化物、ホルモン、小分子、金属、セラミック、薬物、ワクチン、免疫剤及びその組み合わせからなる群から選択される請求項１から１２のいずれか一項に記載の生体適合性ナノ粒子組成物。
【請求項１４】
前記治療薬が抗腫瘍薬である請求項１から１３のいずれか一項に記載の生体適合性ナノ粒子組成物。
【請求項１５】
前記治療薬が、ドセタキセル、ビンクリスチン、メトトレキセート、パクリタキセル又はシロリムスから選択される請求項１から１４のいずれか一項に記載の生体適合性ナノ粒子組成物。
【請求項１６】
サッカリドの水溶液をさらに含む請求項１から１５のいずれか一項に記載の生体適合性ナノ粒子組成物。
【請求項１７】
それぞれが生体適合性ポリマーと治療薬とを含む、複数のナノ粒子を含む生体適合性ナノ粒子組成物であって、
前記組成物を患者に投与すると、少なくとも１２時間、治療薬の高血漿中濃度を提供し、患者に投与した場合の分布容積が、５×血漿容積以下である生体適合性ナノ粒子組成物。
【請求項１８】
前記患者が哺乳動物である請求項１から１７のいずれか一項に記載の生体適合性ナノ粒子組成物。
【請求項１９】
前記患者が霊長類である請求項１から１７のいずれか一項に記載の生体適合性ナノ粒子組成物。
【請求項２０】
請求項１から１９のいずれか一項に記載のナノ粒子組成物を含有する固形腫瘍癌治療剤。
【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
式(I):
【化１】
2012512169.tif 000001
［式中、
nおよびmは、各々独立して、0、1、2、もしくは3であり;
R1は、水素、アルケニル、アルキル、またはシクロアルキルから選択され、ここで、該アルケニル、該アルキル、および該シクロアルキルは、各々、１、２、３、もしくは４個のハロ基で適宜置換されており;
各R2およびR3は、独立して、アルコキシ、アルキル、シアノ、ジアルキルアミノ、ハロ、ハロアルコキシ、ハロアルキル、またはヒドロキシから選択され;
R4は、水素、アルケニル、アルキル、アリール、アリールアルキル、シクロアルキル、(シクロアルキル)アルキル、ヘテロシクリル、またはヘテロシクリルアルキルから選択され;ここで、該アルキルおよびシクロアルキルは、各々、アルコキシ、ハロアルコキシ、ハロ、ハロアルキル、シアノ、もしくはジアルキルアミノから選択される１個の基で適宜置換されており;
R5は、水素、アルコキシカルボニル、アルキル、アルキルカルボニル、アルキルスルホニル、ハロアルコキシカルボニル、ハロアルキル、ハロアルキルカルボニル、(NRaRb)カルボニル、または(NRaRb)スルホニルから選択され、ここで、RaおよびRbは、独立して、水素、アルコキシ、アルキル、アリール、アリールアルキル、シクロアルキル、(シクロアルキル)アルキル、ハロアルキル、ヘテロシクリル、またはヘテロシクリルアルキルから選択され;そして、
Qは、C6-C9の飽和もしくは不飽和の炭素鎖である］
の化合物または医薬的に許容されるその塩。
【請求項２】
R4がアルキルである、請求項１に記載の化合物または医薬的に許容されるその塩。
【請求項３】
R5がアルコキシカルボニルである、請求項２に記載の化合物または医薬的に許容されるその塩。
【請求項４】
nおよびmが各々0である、請求項３に記載の化合物または医薬的に許容されるその塩。
【請求項５】
R3がアルコキシである、請求項４に記載の化合物または医薬的に許容されるその塩。
【請求項６】
R1が２個のハロ基で置換されたアルキルである、請求項５に記載の化合物または医薬的に許容されるその塩。
【請求項７】
nおよびmが、各々0であり;
R1が、２個のハロ基で置換されたアルキルであり;
R4が、アルキルであり;
R5が、アルコキシカルボニルであり;そして、
Qが、C7-C8不飽和鎖である、
請求項１に記載の化合物または医薬的に許容されるその塩。
【請求項８】
式:
【化２】
2012512169.tif 000002
から選択される化合物または医薬的に許容されるその塩。
【請求項９】
請求項１に記載の化合物もしくは医薬的に許容されるその塩、および医薬的に許容される担体を含有する、HCV感染症を治療するための医薬組成物。
【請求項１０】
抗-HCV活性を有する少なくとも１つのさらなる化合物をさらに含む、請求項９に記載の医薬組成物。
【請求項１１】
該さらなる化合物の少なくとも１つがインターフェロンまたはリバビリンである、請求項１０に記載の医薬組成物。
【請求項１２】
該インターフェロンが、インターフェロンα2B、ペグインターフェロンα、コンセンサスインターフェロン、インターフェロンα2A、またはリンパ芽球様インターフェロンタウから選択される、請求項１１に記載の医薬組成物。
【請求項１３】
該さらなる化合物の少なくとも１つが、インターロイキン2、インターロイキン6、インターロイキン12、1型ヘルパーＴ細胞応答の発生を増強する化合物、干渉RNA、アンチセンスRNA、イミキモド、リバビリン、イノシン5'-一リン酸脱水素酵素阻害剤、アマンタジン、またはリマンタジンから選択される、請求項１０に記載の医薬組成物。
【請求項１４】
該さらなる化合物の少なくとも１つが、HCV感染症の治療のために、HCVメタロプロテアーゼ、HCVセリンプロテアーゼ、HCVポリメラーゼ、HCVヘリカーゼ、HCV NS4Bタンパク質、HCVエントリー、HCVアセンブリ、HCVイグレス、HCV NS5Aタンパク質、またはIMPDHから選択される標的の機能を阻害するのに有効である、請求項１０に記載の医薬組成物。
【請求項１５】
治療上有効な量の請求項１に記載の化合物もしくは医薬的に許容されるその塩および抗-HCV活性を有する少なくとも１つのさらなる化合物を組み合わせて含有する、HCV感染症を治療するための剤であって、該さらなる化合物を請求項１に記載の化合物もしくは医薬的に許容されるその塩より前、後、もしくは同時に投与することを特徴とする、該剤。
【請求項１６】
該さらなる化合物の少なくとも１つがインターフェロンまたはリバビリンである、請求項１５に記載の剤。
【請求項１７】
該インターフェロンが、インターフェロンα2B、ペグインターフェロンα、コンセンサスインターフェロン、インターフェロンα2A、またはリンパ芽球様インターフェロンタウから選択される、請求項１６に記載の剤。
【請求項１８】
該さらなる化合物の少なくとも１つが、インターロイキン2、インターロイキン6、インターロイキン12、1型ヘルパーＴ細胞応答の発生を増強する化合物、干渉RNA、アンチセンスRNA、イミキモド、リバビリン、イノシン5'-一リン酸脱水素酵素阻害剤、アマンタジン、またはリマンタジンから選択される、請求項１５に記載の剤。
【請求項１９】
該さらなる化合物の少なくとも１つが、HCV感染症の治療のために、HCVメタロプロテアーゼ、HCVセリンプロテアーゼ、HCVポリメラーゼ、HCVヘリカーゼ、HCV NS4Bタンパク質、HCVエントリー、HCVアセンブリ、HCVイグレス、HCV NS5Aタンパク質、またはIMPDHから選択される標的の機能を阻害するのに有効である、請求項１５に記載の剤。
【請求項２０】
HCV感染症を治療するための医薬の製造における、請求項１に記載の化合物の使用。
【請求項２１】
該医薬が抗-HCV活性を有する少なくとも１つのさらなる化合物を含有する、請求項２０に記載の使用。
【手続補正書】
【提出日】平成24年12月13日(2012.12.13)
【手続補正１】
【補正対象書類名】特許請求の範囲
【補正対象項目名】全文
【補正方法】変更
【補正の内容】
【特許請求の範囲】
【請求項１】
有効成分としてオクトレオチドまたは医薬的に許容されるその塩と、Ｌ：Ｇモル比が７５：２５であり、異なる粘度を有する２つの直鎖状ポリラクチド−ｃｏ−グリコリドポリマー（ＰＬＧＡ）とを含む、デポー製剤。
【請求項２】
前記ポリマーは、ＣＨＣｌ３中で０．８ｄｌ／ｇと０．１ｄｌ／ｇの間の異なる固有粘度を有する、請求項１に記載のデポー製剤。
【請求項３】
１つのポリマーが、異なる末端基を有する、請求項１または２に記載のデポー製剤。
【請求項４】
一方のポリマーがエステルを有し、もう一方のポリマーが酸性末端基を有する、請求項３に記載のデポー製剤。
【請求項５】
有効成分がパモ酸オクトレオチドである、請求項１〜４のいずれかに記載のデポー製剤。
【請求項６】
粘度が、０．６ｄｌ／ｇ、０．４ｄｌ／ｇまたは０．２ｄｌ／ｇから選択される、請求項１〜５のいずれかに記載のデポー製剤。
【請求項７】
微粒子、半固体、またはインプラントの形態である、請求項１〜６のいずれかに記載のデポー製剤。
【請求項８】
微粒子の形態である、請求項７に記載のデポー製剤。
【請求項９】
微粒子が１０μｍと９０μｍの間の直径を有する、請求項８に記載のデポー製剤組成物。
【請求項１０】
微粒子が抗凝集剤でさらに覆われているまたは被覆されている、請求項８または９に記載のデポー製剤。
【請求項１１】
ガンマ線照射によって滅菌された、請求項１〜１０のいずれかに記載のデポー製剤。
【請求項１２】
先端巨大症患者における長期維持療法、ならびに悪性カルチノイド腫瘍および血管作用性腸ペプチド腫瘍（ピボーマ腫瘍）に伴う重度の下痢および潮紅から選択される疾患の治療のための医薬を製造するために使用するための請求項１〜１１のいずれかに記載のデポー製剤の使用。
【請求項１３】
アンプル、バイアル、もしくはプレフィルドシリンジ内の水性ビヒクルと共に、またはダブルチャンバーシリンジ内で分けられている微粒子およびビヒクルとして、バイアルに請求項１〜１１のいずれかに記載のデポー製剤を含む投与キット。
【手続補正２】
【補正対象書類名】明細書
【補正対象項目名】００５４
【補正方法】変更
【補正の内容】
【００５４】
【表３】
2012512147.tif 000001
本発明は、以下の態様を包含する。
［１］
２つの異なる直鎖状ポリラクチド−ｃｏ−グリコリドポリマー（ＰＬＧＡ）および有効成分としてオクトレオチドまたは医薬的に許容されるその塩を含む徐放性医薬組成物であ
って、ウサギにおける投薬量１２ｍｇ／ｋｇによる有効成分の血漿濃度が少なくとも５０日間、一定して１．５ｎｇ／ｍｌより高い、徐放性医薬組成物。
［２］
有効成分の血漿濃度が１．８ｎｇ／ｍｌより高い、上記［１］に記載の徐放性医薬組成物。
［３］
治療的目標血漿濃度が６〜１２日後に到達される、上記［１］または［２］に記載の徐放性医薬組成物。
［４］
２つの異なるポリラクチド−ｃｏ−グリコリドポリマー（ＰＬＧＡ）はともにラクチド：グリコリド比が７５：２５である、上記［１］、［２］、または［３］に記載の徐放性医薬組成物。
［５］
２つのポリマーが異なる固有粘度を有する、上記［４］に記載の徐放性医薬組成物。
［６］
ＰＬＧＡがポリマーブレンドとして存在する、上記［１］〜［５］のいずれかに記載の医薬組成物。
［７］
ＰＬＧＡが異なる末端基を有する、上記［１］〜［６］のいずれかに記載の医薬組成物。
［８］
１つのＰＬＧＡがエステル末端基を有し、１つのＰＬＧＡが酸性末端基を有する、上記［７］に記載の医薬組成物。
［９］
ＰＬＧＡの固有粘度が、ＣＨＣｌ３中で２５℃において０．１および０．５ｄＬ／ｇ未満である、上記［１］〜［８］のいずれかに記載の医薬組成物。
［１０］
オクトレオチドのパモ酸塩を含む、上記［１］〜［９］のいずれかに記載の医薬組成物。
［１１］
患者における有効成分の放出が６０と１２０日の間である、上記［１０］に記載の医薬組成物。
［１２］
微粒子、半固体、またはインプラントの形態である、上記［１］〜［１１］のいずれかに記載の医薬組成物。
［１３］
微粒子の形態である、上記［１２］に記載の医薬組成物。
［１４］
微粒子が１０μｍと９０μｍの間の直径を有する、上記［１３］に記載の医薬組成物。
［１５］
微粒子が抗凝集剤でさらに覆われているまたは被覆されている、上記［１３］または［１４］に記載の医薬組成物。
［１６］
ガンマ線照射によって滅菌された、上記［１］〜［１５］のいずれかに記載の医薬組成物。
［１７］
先端巨大症患者における長期維持療法、ならびに悪性カルチノイド腫瘍および血管作用性腸ペプチド腫瘍（ピボーマ腫瘍）に伴う重度の下痢および潮紅の治療のための上記［１］〜［１６］のいずれかに記載の医薬組成物の使用。
［１８］
医薬組成物が２か月毎に約１回から２〜３か月毎に約１回投与される、上記［１］〜［１６］のいずれかに記載の医薬組成物の使用。
［１９］
先端巨大症患者における長期維持療法、ならびに悪性カルチノイド腫瘍および血管作用性腸ペプチド腫瘍（ビポーマ腫瘍）に伴う重度の下痢および潮紅の治療のためにオクトレオチドまたは医薬的に許容されるその塩を投与する方法であって、オクトレオチドまたは医薬的に許容されるその塩を必要とする患者に上記［１］〜［１６］のいずれかに記載の医薬組成物を投与する工程を含む、前記方法。
［２０］
医薬組成物が２か月毎に約１回から２〜３か月毎に約１回で投与される、上記［１９］に記載の方法。
［２１］
（ｉ）（ｉａ）ポリマーを適切な有機溶媒または溶媒混合物に溶解する工程、
（ｉｂ）工程（ｉａ）で得られたポリマー溶液に原薬を溶解／懸濁／乳化する工程
を含む内側有機相を調製する工程、
（ｉｉ）安定剤を含有する外側水相を調製する工程、
（ｉｉｉ）内側有機相を外側水相と混合してエマルションを形成する工程、および
（ｉｖ）溶媒蒸発または溶媒抽出によって微粒子を硬化させ、微粒子を洗浄し、微粒子を乾燥させ、微粒子を１４０μｍのふるいにかける工程
を含む上記［１３］または［１４］に記載の微粒子を製造するプロセス。
［２２］
アンプル、バイアル、もしくはプレフィルドシリンジ内の水性ビヒクルと共に、またはダブルチャンバーシリンジ内で分けられている微粒子およびビヒクルとして、バイアルに上記［１］〜［１７］のいずれかに記載の医薬組成物を含む投与キット。
【手続補正書】
【提出日】平成24年12月10日(2012.12.10)
【手続補正１】
【補正対象書類名】特許請求の範囲
【補正対象項目名】全文
【補正方法】変更
【補正の内容】
【特許請求の範囲】
【請求項１】
複数の粒子を有する多結晶ガリウム含有グループＩＩＩ金属窒化物であって、前記複数の粒子は約１０ナノメートル〜約１ミリメートルの範囲の平均粒子サイズを有しており、前記多結晶ガリウム含有グループＩＩＩ金属窒化物は、ガリウム含有グループＩＩＩ金属の原子分率が約０．４９〜約０．５５の範囲であり、前記金属は、少なくとも、アルミニウム、インジウム及びガリウムから選択され、ガリウム含有グループＩＩＩ金属酸化物の形態で又は置換型不純物としてグループＩＩＩ金属窒化物中に含まれる酸素の含有量が約１０ｐｐｍ未満である窒化物と；
約２００ｐｐｍよりも高いレベルにおいて前記多結晶ガリウム含有グループＩＩＩ金属窒化物に組み込まれているゲッターと
を含んだ材料。
【請求項２】
前記多結晶ガリウム含有グループＩＩＩ窒化物の体積割合における孔隙率が約０．１パーセント〜約３０パーセントであり、見掛け密度が前記金属窒化物に対応する理論密度値の約７０パーセント〜約９９．８パーセントである請求項１に記載の材料。
【請求項３】
前記ゲッターは金属を含んでいる請求項１に記載の材料。
【請求項４】
前記ゲッターは、アルカリ土類金属、スカンジウム、チタン、バナジウム、クロム、イットリウム、ジルコニウム、ニオブ、希土類金属、ハフニウム、タンタル、およびタングステンのうち少なくとも１つを含んでいる請求項１に記載の材料。
【請求項５】
前記ゲッターは約０．１質量％よりも高いレベルにおいて存在している請求項１に記載の材料。
【請求項６】
ガリウム含有グループＩＩＩ金属酸化物の形態で又は置換型不純物としてグループＩＩＩ金属窒化物中に含まれる酸素の含有量が約３ｐｐｍ未満である請求項１に記載の材料。
【請求項７】
ガリウム含有グループＩＩＩ金属酸化物の形態で又は置換型不純物としてグループＩＩＩ金属窒化物中に含まれる酸素の含有量が約１ｐｐｍ未満である請求項１に記載の材料。
【請求項８】
前記複数の粒子は、約１００／立方センチメートル〜約１０，０００／立方センチメートルの平均粒子数によって特徴付けられる、請求項１に記載の材料。
【請求項９】
前記ガリウム含有グループＩＩＩ金属窒化物の孔隙率は、約０．１体積％〜約１０体積％の範囲である、請求項１に記載の材料。
【請求項１０】
前記ガリウム含有グループＩＩＩ金属窒化物の孔隙率は、約１０体積％〜約３０体積％の範囲である、請求項１に記載の材料。
【請求項１１】
前記複数の粒子が約１ミリメートル〜約１０マイクロメートルの範囲の平均粒子直径によって特徴づけられる請求項１に記載の材料。
【請求項１２】
前記複数の粒子が約１．０マイクロメートルより大きい平均粒子直径によって特徴づけられる請求項１に記載の材料。
【請求項１３】
前記多結晶ガリウム含有グループＩＩＩ金属窒化物の見掛け密度は、理論値の約８５パーセント〜約９５パーセントである、請求項１に記載の材料。
【請求項１４】
前記多結晶ガリウム含有グループＩＩＩ金属窒化物中の前記ガリウム含有グループＩＩＩ金属の原子分率は、約０．５０〜約０．５１である、請求項１に記載の材料。
【請求項１５】
ｎ型材料、ｐ型材料または半絶縁性材料のうち１つ以上を提供するための１つ以上のドーパントをさらに含む請求項１に記載の材料。
【請求項１６】
前記１つ以上のｎ型材料、ｐ型材料または半絶縁性材料は、約１０２１原子／立方センチメートル〜約１０１６原子／立方センチメートルの範囲のドーパント濃度によって特徴づけられる請求項１５に記載の材料。
【請求項１７】
前記多結晶ガリウム含有グループＩＩＩ金属窒化物の粒子間曲げ強さは約２０メガパスカルよりも高い請求項１に記載の材料。
【請求項１８】
前記ゲッターは内包物の形態で前記多結晶ガリウム含有グループＩＩＩ金属窒化物に組み込まれており、前記内包物は、金属、金属窒化物、金属ハロゲン化物、金属オキシ窒化物、金属オキシハライド、金属酸化物、及びこれらの任意の組み合わせから選択される材料を含んでいる請求項１に記載の材料。
【請求項１９】
前記内包物は、実質的に、金属、金属窒化物、金属ハロゲン化物、金属オキシ窒化物、金属オキシハライド、及びこれらの任意の組み合わせから選択される材料のみからなる請求項１８に記載の材料。
【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
マルチレベルの抗菌性を備えた抗菌表面コーティングを形成する材料であって、１種類以上の揮発性または気体バイオサイドと、１種類以上の金属含有バイオサイドと、１種類以上のポリマーを含み、そのうち、前記揮発性または気体バイオサイドが前記ポリマーに封入され、前記揮発性または気体バイオサイドの徐放性を提供することを特徴とする、マルチレベルの抗菌性を備えた抗菌表面コーティングを形成する材料。
【請求項２】
前記揮発性または気体バイオサイドが、可溶性二酸化塩素、可溶性塩素、塩素化化合物、アルコール化合物、フェノール化合物、それらの固体及び（または）液体前駆体、及びそれらの組み合わせを含む群から選択されることを特徴とする、請求項１に記載のマルチレベルの抗菌性を備えた抗菌表面コーティングを形成する材料。
【請求項３】
前記揮発性バイオサイドが、可溶性二酸化塩素とその前駆体であることを特徴とする、請求項１に記載のマルチレベルの抗菌性を備えた抗菌表面コーティングを形成する材料。
【請求項４】
前記揮発性バイオサイドが、可溶性二酸化塩素、可溶性クロライト塩、可溶性塩素の組み合わせであることを特徴とする、請求項１に記載のマルチレベルの抗菌性を備えた抗菌表面コーティングを形成する材料。
【請求項５】
各前記金属含有バイオサイドが、１つ以上のＶＩＩ、ＩＢ、ＩＩＢ、ＩＶＡ、ＩＶＢ族金属含有化合物とその塩、及びそれらの組み合わせを含む群から選択されることを特徴とする、請求項１に記載のマルチレベルの抗菌性を備えた抗菌表面コーティングを形成する材料。
【請求項６】
前記金属含有バイオサイドが、微量金属含有化合物またはその塩であることを特徴とする、請求項５に記載のマルチレベルの抗菌性を備えた抗菌表面コーティングを形成する材料。
【請求項７】
前記金属含有バイオサイドが、銀、銅または亜鉛含有化合物を含むことを特徴とする、請求項６に記載のマルチレベルの抗菌性を備えた抗菌表面コーティングを形成する材料。
【請求項８】
前記ポリマーが１種類以上のポリマー、１種類以上の高分子界面活性剤、またはそれらの組み合わせであることを特徴とする、請求項１に記載のマルチレベルの抗菌性を備えた抗菌表面コーティングを形成する材料。
【請求項９】
前記ポリマーが前記バイオサイドを封入するエマルションを形成し、そのうち、前記バイオサイドが周囲環境にゆっくりと、徐々に、継続して放出されることを特徴とする、請求項１に記載のマルチレベルの抗菌性を備えた抗菌表面コーティングを形成する材料。
【請求項１０】
前記ポリマーが二層エマルションを形成することを特徴とする、請求項９に記載のマルチレベルの抗菌性を備えた抗菌表面コーティングを形成する材料。
【請求項１１】
前記ポリマーが、水相−油相−水相（ｗ／ｏ／ｗ）ダブルエマルションを形成し、前記揮発性または気体バイオサイドがその中に封入されて、前記バイオサイドの徐放性が提供されることを特徴とする、請求項１０に記載のマルチレベルの抗菌性を備えた抗菌表面コーティングを形成する材料。
【請求項１２】
各ポリマーが、両親媒性ブロックコポリマーとその組み合わせを含む群から選択されることを特徴とする、請求項１に記載のマルチレベルの抗菌性を備えた抗菌表面コーティングを形成する材料。
【請求項１３】
前記両親媒性ブロックコポリマーが、両親媒性ジブロックまたはトリブロックコポリマーであることを特徴とする、請求項１２に記載のマルチレベルの抗菌性を備えた抗菌表面コーティングを形成する材料。
【請求項１４】
前記両親媒性ブロックコポリマーが、ｐｏｌｙｘａｍｅｒまたはその組み合わせであることを特徴とする、請求項１３に記載のマルチレベルの抗菌性を備えた抗菌表面コーティングを形成する材料。
【請求項１５】
前記コーティングが、（１）前記揮発性バイオサイドの徐放性による殺菌と微生物成長の阻害、（２）伝染性飛沫との接触時のバイオサイド放出増加、（３）塗布表面に形成される前記金属含有バイオサイドのナノ構造による微生物の不活性化と付着の阻止を通した、放出殺菌、接触殺菌、抗付着効果を含むマルチレベルの抗菌性を持つ材料によって形成されることを特徴とする、請求項１に記載のマルチレベルの抗菌性を備えた抗菌表面コーティングを形成する材料。
【請求項１６】
マルチレベルの抗菌性を備えた抗菌表面コーティングを形成する材料を製造する方法であって、１種類以上の揮発性または気体バイオサイドを１種類以上のポリマーに封入し、前記揮発性または気体バイオサイドの徐放性を提供する工程と、１種類以上の金属含有バイオサイドと混合する工程を含むことを特徴とする、マルチレベルの抗菌性を備えた抗菌表面コーティングを形成する材料を製造する方法。
【請求項１７】
前記金属含有バイオサイドが、前記揮発性または気体バイオサイドと共に前記ポリマーに封入されることを特徴とする、請求項１６に記載のマルチレベルの抗菌性を備えた抗菌表面コーティングを形成する材料を製造する方法。
【請求項１８】
物品または装置の滅菌方法であって、１種類以上の揮発性または気体バイオサイドと、１種類以上の金属含有バイオサイドと、１種類以上のポリマーを含むマルチレベルの抗菌性を備えた抗菌表面コーティングを形成する材料を提供し、そのうち前記揮発性または気体バイオサイドが前記ポリマーに封入され、前記揮発性または気体バイオサイドの徐放性を提供する工程と、前記材料を物品または装置上に塗布し、放出殺菌、接触殺菌、抗付着効果を備えた抗菌表面コーティングを形成する工程を含むことを特徴とする、物品または装置の滅菌方法。
【手続補正書】
【提出日】平成24年12月13日(2012.12.13)
【手続補正１】
【補正対象書類名】明細書
【補正対象項目名】００１６
【補正方法】変更
【補正の内容】
【００１６】
加熱設備が利用できるため、製造されたインゴットが前記制御冷却区画内で連続的に移動するに従って当該インゴットの冷却スピードを制御でき、当該インゴットの長さ方向にわたる温度勾配を５〜１０℃／ｃｍ以内に軽減することができる。
この先行技術機器の欠点は、例えば鉄（Ｆｅ）とアルミニウム（Ａｌ）の含有量の高いことを特徴とする冶金グレードのシリコンなど、不純物含有量の高いシリコン塊バッチを使う場合、インゴットの品質と製造出力が低下することである。太陽電池の動作性能は、Ｆｅ含有量が０．０１ｐｐｍｗを超え、Ａｌ含有量が０．１ｐｐｍｗを超えると低下する。特定された不純物を隔離すると、製造された多結晶シリコンインゴットの２〜４ｍ以下という限られた長さ内では、不純物の量に応じて満足のいくシリコン品質が保たれる。但し、特定の長さのインゴットを製造する際、水冷るつぼおよび制御冷却区画から前記インゴットを移動させるために必要な時間は、誘導溶解および鋳造にかかる時間と比べて長くなり、設備能力も低下する。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正２】
【補正対象書類名】明細書
【補正対象項目名】００１７
【補正方法】変更
【補正の内容】
【００１７】
【特許文献１】  欧州特許出願公開第１７５４８０６号明細書
【特許文献２】  米国特許出願公開第２００８／１７９０３７号明細書
【特許文献３】  米国特許出願公開第２００８／２８３２１１号明細書
【発明の概要】
【発明が解決しようとする課題】
【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
耐火性セラミック繊維または生体内溶解性無機繊維、
粘度調節剤、及び
コロイド状無機酸化物、
を含む、多孔性セラミック基体用表皮被覆材料。
【請求項２】
耐火性セラミック繊維または生体内溶解性無機繊維が、アルミノケイ酸塩繊維、アルカリ土類ケイ酸塩繊維、ケイ酸マグネシウム繊維、ケイ酸カルシウムマグネシウム繊維またはアルミン酸カルシウム繊維の少なくとも１種を含む、請求項１に記載の表皮被覆材料。
【請求項３】
無機微粒子を更に含み、前記無機微粒子が、アルミナ、コーディエライト、ムライト、チタニア、チタン酸アルミニウム、または炭化ケイ素の少なくとも１種を含む、請求項１に記載の表皮被覆材料。
【請求項４】
無機結合剤が、未仮焼クレイまたは仮焼クレイを含む、請求項１に記載の表皮被覆材料。
【請求項５】
粘度調節剤が、アルキルセルロースポリマー、ポリアルキレンオキシド、多糖、ポリアクリル酸、ポリアクリルアミド、又はこれらの組合せの少なくとも１種を含む、請求項１に記載の表皮被覆材料。
【請求項６】
コロイド状無機酸化物が、コロイド状シリカ、コロイド状アルミナ、コロイド状ジルコニア、またはこれらの混合物の少なくとも１種を含む、請求項１に記載の表皮被覆材料。
【請求項７】
第２の無機繊維を更に含み、前記第２の無機繊維が、ガラス繊維、溶脱型シリカ繊維、高アルミナ繊維、ムライト繊維、アルミノケイ酸マグネシウム繊維、Ｓ−２繊維、Ｅ−ガラス繊維、バサルト繊維、または微細直径アルミナ−ケイ酸塩繊維の少なくとも１種を含む、請求項１に記載の表皮被覆材料。
【請求項８】
耐火性セラミック繊維または生体内溶解性無機繊維、
粘度調節剤、
コロイド状無機酸化物、
無機結合剤、
無機微粒子、および
第２の無機繊維
を含む、多孔性セラミック基体用表皮被覆材料。
【請求項９】
有機結合剤繊維、有機結合剤、または樹脂の少なくとも１種をさらに含む、請求項１又は８のいずれか１項に記載の表皮被覆材料。
【請求項１０】
請求項８の表皮被覆材料であって、
(i)前記粘度調節剤がメチルセルロースであり、前記コロイド状無機酸化物がコロイド状シリカであり、前記無機微粒子がコーディエライトであり、且つ該無機結合剤が仮焼されたカオリン、ベントナイトクレイ、またはボルクレイの少なくとも１種を含む、または
(ii)前記粘度調節剤がメチルセルロースであり、前記コロイド状無機酸化物がコロイド状シリカであり、前記無機微粒子が炭化ケイ素であり、且つ該無機結合剤がボルクレイを含む、
表皮被覆材料。
【請求項１１】
耐火性セラミック繊維または生体内溶解性無機繊維、粘度調節剤、及びコロイド状無機酸化物の混合物を形成するステップを含む、多孔性セラミック基体の表皮被覆の製造方法。
【請求項１２】
混合物を形成する前記ステップが、
セラミック繊維または生体内溶解性無機繊維、及び粘度調節剤の乾燥混合物を形成すること；
コロイド状無機酸化物と水との湿潤混合物を形成すること；および
乾燥混合物と湿潤混合物とを混合すること
を含む、請求項１１に記載の方法。
【手続補正２】
【補正対象書類名】明細書
【補正対象項目名】０００８
【補正方法】変更
【補正の内容】
【０００８】
粘度調節剤としては、限定はされないが、メチルセルロース（ＭＣ）などのアルキルセルロースポリマーおよび／またはその誘導体（ヒドロキシプロピルメチルセルロース（ＨＰＭＣ）、ヒドロキシエチルメチルセルロース（ＨＥＭＣ）、ヒドロキシエチルセルロース（ＨＥＣ）、カルボキシメチルセルロース（ＣＭＣ）、ヒドロキシエチルカルボキシメチルセルロース（ＨＥＣＭＣ）、またはカルボキシメチルヒドロキシエチルセルロース（ＣＭＨＥＣ）など）、あるいはこれらの混合物を挙げることができる。特定の実施形態において、粘度調節剤の粘度は、約２０ｃｐｓ〜約２０００ｃｐｓの範囲内にある。
粘度調節剤のその他の非限定的例には、ポリアルキレンオキシド、特定の多糖、ポリアクリル酸、ポリアクリルアミド、又はこれらの混合物が含まれる。ポリアルキレンオキシドとしては、限定はされないが、約１００万〜約４００万ｇ／モルの範囲の分子量を有するポリエチレンオキシドを挙げることができる。適切な多糖の実例には、ウェランガム（ｗｅｌａｎ  ｇｕｍ）、ジュータンガム（ｄｉｕｔａｎ  ｇｕｍ）、キサンタンガム、およびこれらの混合物が含まれる。ポリアクリル酸は、約５００，０００ｇ／モルまたはそれ以上の分子量を有することができる。
【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
３−（４−クロロ−２−フルオロベンジル）−２−メチル−Ｎ−（５−メチル−１Ｈ−ピラゾール−３−イル）−８−（モルホリノメチル）イミダゾ［１，２−ｂ］ピリダジン−６−アミン、またはその薬理学的に許容できる塩。
【請求項２】
３−（４−クロロ−２−フルオロベンジル）−２−メチル−Ｎ−（５−メチル−１Ｈ−ピラゾール−３−イル）−８−（モルホリノメチル）イミダゾ［１，２−ｂ］ピリダジン−６−アミンである請求項１に記載の化合物。
【請求項３】
３−（４−クロロ−２−フルオロベンジル）−２−メチル−Ｎ−（５−メチル−１Ｈ−ピラゾール−３−イル）−８−（モルホリノメチル）イミダゾ［１，２−ｂ］ピリダジン−６−アミン塩酸塩である請求項１に記載の化合物。
【請求項４】
請求項１、２もしくは３のいずれか１項に記載の化合物、またはその薬理学的に許容できる塩、および薬理学的に許容できる担体、希釈剤または賦形剤を含む医薬組成物。
【請求項５】
薬物としての使用のための、請求項１、２もしくは３のいずれか１項に記載の化合物、またはその薬理学的に許容できる塩を含む医薬組成物。
【請求項６】
神経膠芽腫、乳癌、多発性骨髄腫、前立腺癌、ならびに白血病、Ｔ細胞性およびＢ細胞性の急性リンパ性白血病、骨髄異形成症候群、ならびに骨髄増殖性疾患の治療における使用のための、請求項１、２もしくは３のいずれか１項に記載の化合物、またはその薬理学的に許容できる塩を含む医薬組成物。
【請求項７】
慢性骨髄増殖性疾患の治療における使用のための、請求項６に記載の医薬組成物。
【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
攻撃性及び／又は類似の行動症候群を治療するためのＤ２アンタゴニスト活性及びＤ５アンタゴニスト活性を同時に示す医薬品であって、前記医薬品の総投与量が、Ｄ２活性のみに基づいて予想された投与量よりも少ない、医薬品。
【請求項２】
前記医薬品がモリンドンである、請求項１に記載の医薬品。
【請求項３】
抗精神病薬としてのモリンドンの使用に指示される用量の５０％以下の用量で投与される、請求項２に記載の医薬品。
【請求項４】
１０ｍｇ／日〜２００ｍｇ／日の用量範囲で投与される、請求項２に記載の医薬品。
【請求項５】
１５ｍｇ／日〜１２０ｍｇ／日の用量範囲で投与される、請求項２に記載の医薬品。
【請求項６】
モリンドン投与に伴う副作用が減少された、請求項３に記載の医薬品。
【請求項７】
眠気、鬱状態、活動過多、陶酔感、錐体外路反応、静坐不能、運動不能、ジストニー症候群、遅発性ジスキネジア、頻脈、嘔気、口渇、尿閉及び便秘から選択される少なくとも１つの副作用の発生数が減少された、請求項６に記載の医薬品。
【請求項８】
前記医薬品が望ましくない行動の減少及び許容可能な副作用をもたらす、請求項３に記載の医薬品。
【請求項９】
ヒト被験体において攻撃性及び／又は易刺激性及び興奮性を含む類似の行動症候群を治療するための活性剤の最適な総用量を決定する方法であって、
ａ）反対の活性が攻撃的行動と関連する、少なくとも１つのドーパミン作動性受容体、セロトニン作動性受容体又はＧＡＢＡ作動性受容体に対する既知の活性（例えば、アゴニスト又はアンタゴニスト）を有する幾つかの活性剤を選択する工程、
ｂ）前記活性剤の各々を用いて、これらの同じ受容体ファミリーに対する受容体スクリーニングアッセイを行い、望ましくない（すなわち、攻撃的）行動との既知の関連性を有する少なくとも１つのさらなる受容体に対する活性を特定する、受容体スクリーニングアッセイを行う工程、
ｃ）前記活性がアゴニスト性であるか、又はアンタゴニスト性であるかを決定する工程、
ｄ）工程ｂ）及び工程ｃ）の結果によって、スクリーニングした前記活性剤の中から、最も多様なタイプの攻撃性関連受容体を標的とする活性剤を少なくとも１つ選択する工程、及び
ｅ）工程ｂ）〜工程ｄ）の結果を考慮して前記活性剤の総用量を最適化する工程、
含む、方法。
【請求項１０】
前記被験体が小児である、請求項９に記載の方法。
【請求項１１】
前記被験体が、ＡＤＨＤ、双極性障害、自閉症及び心的外傷後ストレス障害から選択される少なくとも１つの病態であると診断された被験体である、請求項９に記載の方法。
【請求項１２】
前記被験体が、ＡＤＨＤ、双極性障害、自閉症及び心的外傷後ストレス障害から選択される少なくとも１つの病態であると診断された被験体である、請求項１０に記載の方法。
【手続補正書】
【提出日】平成24年12月11日(2012.12.11)
【手続補正１】
【補正対象書類名】特許請求の範囲
【補正対象項目名】全文
【補正方法】変更
【補正の内容】
【特許請求の範囲】
【請求項１】
不純物を含む液体メチルメタクリレート（ＭＭＡ）を、ホルムアルデヒド、または以下に定義される式Ｉ：
【化１】
2012512859.tif 000001
（式中、Ｒ５およびＲ６は、Ｃ１〜Ｃ１２炭化水素またはＨから独立して選択され；
ＸはＯまたはＳであり；
ｎは、１〜１００の整数であり；
ｍは１または２である）
のメチレンもしくはエチレンの好適な供給源の存在下に、スルホン酸樹脂と接触させる工程を含むメチルメタクリレート（ＭＭＡ）の精製方法。
【請求項２】
式Ｉの化合物がホルムアルデヒドの好適な供給源である、請求項１に記載のメチルメタクリレート（ＭＭＡ）の精製方法。
【請求項３】
ホルムアルデヒドが、または、ホルムアルデヒドの好適な供給源から遊離されることが可能であるホルムアルデヒドの量が、液体ＭＭＡの重量に対して０．０１〜０．１重量パーセントの量で存在する、請求項２に記載のメチルメタクリレートの精製方法。
【請求項４】
前記ホルムアルデヒドの好適な供給源が、１，１ジメトキシメタン、式ＣＨ３−Ｏ−（ＣＨ２−Ｏ）ｉ−ＣＨ３（式中、ｉ＝２以上である）の高級ホルマール、ホルマリン、または、ホルムアルデヒド、メタノールおよびメチルプロピオネートを含む混合物から選択される、請求項２または３に記載のメチルメタクリレートの精製方法。
【請求項５】
前記スルホン酸樹脂との接触の前に、前記ホルムアルデヒドまたはその供給源が前記不純物を含む液体ＭＭＡと混合される、請求項１〜４のいずれか一項に記載のメチルメタクリレートの精製方法。
【請求項６】
連続または半連続プロセスにおいて、前記スルホン酸樹脂との接触の前に、不純物を含む液体ＭＭＡ流れが、前記ホルムアルデヒドまたはその供給源を含有する流れと混合されて、複合液体流れが形成される、請求項５に記載のメチルメタクリレートの精製方法。
【請求項７】
前記ホルムアルデヒドが、結果として前記複合液体流れストリーム中に０．０１〜０．１重量パーセントの量で存在する、請求項６に記載のメチルメタクリレートの精製方法。
【請求項８】
前記ホルムアルデヒド供給源が、前記ＭＭＡ中の不純物として代替的にまたは追加的に存在する、請求項１〜７のいずれか一項に記載のメチルメタクリレートの精製方法。
【請求項９】
前記ＭＭＡ中の前記不純物が、ホルマール−２（ＣＨ３−Ｏ−（ＣＨ２−Ｏ）２−ＣＨ３）である、請求項８に記載のメチルメタクリレートの精製方法。
【請求項１０】
本発明の精製方法が２５〜１００℃の温度で実施される、請求項１〜９のいずれか一項に記載のメチルメタクリレートの精製方法。
【請求項１１】
少なくとも１種のカルボン酸エステルもまた前記精製方法に存在する、請求項１〜１０のいずれか一項に記載のメチルメタクリレートの精製方法。
【請求項１２】
連続または半連続プロセスにおいて、前記少なくとも１種のカルボン酸エステルが、前記スルホン酸樹脂との接触の前に、前記不純物を含む液体ＭＭＡ流れ中に既に存在している、請求項１１に記載のメチルメタクリレートの精製方法。
【請求項１３】
前記不純物が、ＭＭＡの沸点から１５℃の範囲内の沸点を有する、請求項１〜１２のいずれか一項に記載のメチルメタクリレートの精製方法。
【請求項１４】
前記不純物が、イソブチルアルデヒドとしてのまたは前記スルホン酸イオン交換樹脂へ接触された場合にイソブチルアルデヒドを再生成する化合物中のイソブチルアルデヒド、場合により置換されていてもよいＣ６〜Ｃ２０トリエン、場合により置換されていてもよい不飽和アルデヒドおよびケトン、ジビニルケトン、エチルビニルケトン、ジエチルケトン、エチルイソプロペニルケトン、３−メチレン１−ヘキセン−４−オン、メタクロレイン、イソブタノール、トルエン、ならびに、３−ペンテナールなどのペンテナールから選択される、請求項１〜１３のいずれか一項に記載のメチルメタクリレートの精製方法。
【請求項１５】
少なくとも１種の好適な安定化剤の存在下に実施される、請求項１〜１４のいずれか一項に記載のメチルメタクリレートの精製方法。
【請求項１６】
不純物を含む液体メチルメタクリレート（ＭＭＡ）を、ホルムアルデヒド、または以下に定義される式Ｉ：
【化２】
2012512859.tif 000002
（式中、Ｒ５およびＲ６は、Ｃ１〜Ｃ１２炭化水素またはＨから独立して選択され；
ＸはＯまたはＳであり；
ｎは、１〜１００の整数であり；
ｍは１または２である）
のメチレンもしくはエチレンの好適な供給源の存在下に、スルホン酸樹脂と接触させる工程を含み、
ここで前記スルホン酸樹脂は少なくとも部分的に不活性化されている、メチルメタクリレート（ＭＭＡ）の精製方法。